(57)【要約】【課題】羽根に重りを設けずとも当該羽根に開口開放位置に向かって移動させることができ、羽根が開口開放位置又はその近傍に位置する場合に気流に基づく小さな力によって羽根に開口開閉移動させると共に、羽根が開口閉鎖位置の近傍にある場合には気流に基づく力によっては羽根に開口閉鎖移動を生じさせないようにすることができ、而して、開口開放位置又はその近傍にある羽根の気流に基づく開閉移動によって好適に換気することができ、しかも、装置自体のコンパクト化が図れる換気装置を提供すること。【解決手段】換気装置１は、建物に装着される枠体２と、枠体２により画成された開口３に配されると共に開口３を開閉する羽根４と、気流に基づいて羽根４に開口３を開閉させる開閉手段５とを具備しており、建物外７側に向かう羽根４の開口開放移動により開口３を開き、建物内８側に向かう羽根４の開口閉鎖移動により開口３を閉じるようになっている。【選択図】図１
2008298327.tif 000002
【特許請求の範囲】
【請求項１】
建物に装着される枠体と、枠体により画成された開口に配されると共に開口を開閉する羽根と、気流に基づいて羽根に開口を開閉させる開閉手段とを具備しており、開閉手段は、羽根の一の部位を昇降自在に支持する第一の支持機構と、羽根の一の部位に対して下方に位置する羽根の他の部位を建物内外方向に移動自在に支持する第二の支持機構とを具備しており、羽根の他の部位は、羽根が開口閉鎖位置にある場合に当該羽根の重心に対して上方に且つ建物内側及び建物外側のうちの一方側に位置するように配されており、第一の支持機構は、羽根の一の部位を昇降させる方向に伸びていると共に羽根の一の部位に接して当該一の部位を昇降自在に支持する支持面を具備しており、第二の支持機構は、建物内外方向に伸びていると共に羽根の他の部位に接して当該他の部位を建物内外方向に移動自在に支持する支持面を具備しており、第一の支持機構及び第二の支持機構は、当該第一の支持機構及び第二の支持機構の夫々の支持面が形成された一つの支持部材を共有している換気装置。
【請求項２】
第二の支持機構の支持面の建物内側の部位は、水平線に対して建物外側から建物内側に向かって上方に傾斜している請求項１に記載の換気装置。
【請求項３】
第二の支持機構の支持面の建物内側の部位における接線の水平線に対する傾斜角は、建物外側から建物内側に向かって漸増している請求項２に記載の換気装置。
【請求項４】
羽根が開口開放位置にある場合に当該羽根に当接する第二の支持機構の支持面の部位から羽根が開口閉鎖位置にある場合に当該羽根に当接する第二の支持機構の支持面の部位までにおける面は、水平線に対して建物外側から建物内側に向かって上方に傾斜している請求項１に記載の換気装置。
【請求項５】
羽根が開口開放位置にある場合に当該羽根に当接する第二の支持機構の支持面の部位から羽根が開口閉鎖位置にある場合に当該羽根に当接する第二の支持機構の支持面の部位までにおける接線の水平線に対する傾斜角は、建物外側から建物内側に向かって漸増している請求項４に記載の換気装置。
【請求項６】
羽根が開口開放位置にある場合に当該羽根に当接する第二の支持機構の支持面の部位に対して建物外側に位置する当該支持面の部位は、水平線に対して建物外側から建物内側に向かって下方に傾斜している請求項１から５のいずれか一項に記載の換気装置。
【請求項７】
羽根が開口開放位置にある場合に当該羽根に当接する第二の支持機構の支持面の部位に対して建物外側に位置する当該支持面の部位における接線の水平線に対する傾斜角は、建物外側から建物内側に向かって漸減している請求項６に記載の換気装置。
【請求項８】
羽根の他の部位及び羽根の重心は、当該羽根が開口開放位置にある場合に鉛直方向に伸びる同一直線上に夫々位置する請求項１から７のいずれか一項に記載の換気装置。
【発明の詳細な説明】
【技術分野】
【０００１】
本発明は、建物内外間の空気流量を調節すべく、気流に基づく羽根の開閉移動により建物の開口を自然に開閉させる換気装置に関する。
【背景技術】
【０００２】
【特許文献１】特開２００１−２２１４９２号公報
【０００３】
例えば特許文献１においては、羽根には開口開放位置に向かって移動されるように重りが設けられた換気装置が提案されている。
【発明の開示】
【発明が解決しようとする課題】
【０００４】
ところで、斯かる換気装置では、重りを設けなければ羽根を開口開放位置に向かって移動させることが困難である。
【０００５】
本発明は、前記諸点に鑑みてなされたものであり、その目的とするところは、羽根に重りを設けずとも当該羽根に開口開放位置に向かって移動させることができ、羽根が開口開放位置又はその近傍に位置する場合に気流に基づく小さな力によって羽根に開口開閉移動させると共に、羽根が開口閉鎖位置の近傍にある場合には気流に基づく力によっては羽根に開口閉鎖移動を生じさせないようにすることができ、而して、開口開放位置又はその近傍にある羽根の気流に基づく開閉移動によって好適に換気することができ、しかも、装置自体のコンパクト化が図れる換気装置を提供することにある。
【課題を解決するための手段】
【０００６】
本発明の換気装置は、建物に装着される枠体と、枠体により画成された開口に配されると共に開口を開閉する羽根と、気流に基づいて羽根に開口を開閉させる開閉手段とを具備しており、開閉手段は、羽根の一の部位を昇降自在に支持する第一の支持機構と、羽根の一の部位に対して下方に位置する羽根の他の部位を建物内外方向に移動自在に支持する第二の支持機構とを具備しており、羽根の他の部位は、羽根が開口閉鎖位置にある場合に当該羽根の重心に対して上方に且つ建物内側及び建物外側のうちの一方側に位置するように配されており、第一の支持機構は、羽根の一の部位を昇降させる方向に伸びていると共に羽根の一の部位に接して当該一の部位を昇降自在に支持する支持面を具備しており、第二の支持機構は、建物内外方向に伸びていると共に羽根の他の部位に接して当該他の部位を建物内外方向に移動自在に支持する支持面を具備しており、第一の支持機構及び第二の支持機構は、当該第一の支持機構及び第二の支持機構の夫々の支持面が形成された一つの支持部材を共有している。
【０００７】
本発明の換気装置によれば、特に、羽根の他の部位は、羽根が開口閉鎖位置にある場合に当該羽根の重心に対して上方に且つ建物内側及び建物外側のうちの一方側に位置するように配されており、第一の支持機構及び第二の支持機構は、当該第一の支持機構及び第二の支持機構の夫々の支持面が形成された一つの支持部材を共有しているために、羽根に重りを設けずとも当該羽根に開口開放位置に向かって移動させることができ、羽根が開口開放位置又はその近傍に位置する場合に気流に基づく小さな力によって羽根に開口開閉移動させると共に、羽根が開口閉鎖位置の近傍にある場合には気流に基づく力によっては羽根に開口閉鎖移動を生じさせないようにすることができ、而して、開口開放位置又はその近傍にある羽根の気流に基づく開閉移動によって好適に換気することができ、しかも、装置自体のコンパクト化が図れる。
【０００８】
本発明の換気装置の好ましい例では、第二の支持機構の支持面の建物内側の部位は、水平線に対して建物外側から建物内側に向かって上方に傾斜している。このような好ましい例によれば、第二の支持機構の支持面の建物内側の部位において、気流に基づく開口閉鎖移動力に抗する抗移動力を羽根に与えることができて、急速な開口閉鎖や羽根の他の部位と支持部材との衝突を防止することができ、また、開口閉鎖位置にある羽根を移動させて開口を開放する際に、開口閉鎖位置にある羽根の開口開放方向への移動を勢い付けることができる。
【０００９】
本発明の換気装置の好ましい例では、第二の支持機構の支持面の建物内側の部位における接線の水平線に対する傾斜角は、建物外側から建物内側に向かって漸増している。このような好ましい例によれば、第二の支持機構の支持面の建物内側の部位において、羽根が建物外側から開口閉鎖位置に向かって開口閉鎖移動するに連れて、開口閉鎖移動力に抗する抗移動力を漸増させることができて、急速な開口閉鎖や羽根の他の部位と支持部材との衝突をより好適に防止することができ、また、開口閉鎖位置にある羽根を移動させて開口を開放する際に、開口閉鎖位置にある羽根の前記建物内側の部位における開口開放方向への移動の勢い付けを、初期には強く、後期には弱くすることができる。
【００１０】
本発明の換気装置の好ましい例では、羽根が開口開放位置にある場合に当該羽根に当接する第二の支持機構の支持面の部位から羽根が開口閉鎖位置にある場合に当該羽根に当接する第二の支持機構の支持面の部位までにおける面は、水平線に対して建物外側から建物内側に向かって上方に傾斜している。このような好ましい例によれば、開口閉鎖位置から開口開放位置に渡って気流に基づく開口閉鎖移動力に抗する抗移動力を羽根に与えることができ、而して、開口開放位置又はその近傍にある羽根の気流に基づく開閉移動を好適に行わせ得る。
【００１１】
本発明の換気装置の好ましい例では、羽根が開口開放位置にある場合に当該羽根に当接する第二の支持機構の支持面の部位から羽根が開口閉鎖位置にある場合に当該羽根に当接する第二の支持機構の支持面の部位までにおける接線の水平線に対する傾斜角は、建物外側から建物内側に向かって漸増している。このような好ましい例によれば、羽根が開口開放位置又はその近傍に位置する場合に気流に基づく小さな力によって羽根に開口開閉移動させると共に、羽根が開口閉鎖位置の近傍にある場合には気流に基づく力によっては羽根に開口閉鎖移動を生じさせないようにすることができ、而して、開口開放位置又はその近傍にある羽根の気流に基づく開閉移動によってより好適に換気することができる。
【００１２】
本発明の換気装置の好ましい例では、羽根が開口開放位置にある場合に当該羽根に当接する第二の支持機構の支持面の部位に対して建物外側に位置する当該支持面の部位は、水平線に対して建物外側から建物内側に向かって下方に傾斜している。このような好ましい例によれば、羽根が開口開放位置にある場合に当該羽根に当接する第二の支持機構の支持面の部位に対して建物外側に位置する当該支持面の部位において、開口開放移動力に抗する抗移動力を羽根に与えることができ、而して、開口開放位置又はその近傍にある羽根の急速な開口開放移動や羽根の他の部位と支持部材との衝突を防止し得る。
【００１３】
本発明の換気装置の好ましい例では、羽根が開口開放位置にある場合に当該羽根に当接する第二の支持機構の支持面の部位に対して建物外側に位置する当該支持面の部位における接線の水平線に対する傾斜角は、建物外側から建物内側に向かって漸減している。このような好ましい例によれば、羽根が開口開放位置にある場合に当該羽根に当接する第二の支持機構の支持面の部位に対して建物外側に位置する当該支持面の部位において、羽根が開口開放位置から建物外側に向かって遠ざかるに連れて、開口開放移動力に抗する抗移動力を漸増させることができて、開口開放位置又はその近傍にある羽根の急速な開口開放移動や羽根の他の部位と支持部材との衝突をより好適に防止し得る。
【００１４】
本発明の換気装置の好ましい例では、羽根の他の部位及び羽根の重心は、当該羽根が開口開放位置にある場合に鉛直方向に伸びる同一直線上に夫々位置する。このような好ましい例によれば、羽根に重錘等を装着することなく、開口開放位置において羽根を釣り合わせることができて、ストッパ等を用いずとも羽根の開口開放移動を停止させることができ、しかも、羽根が気流に基づく小さな力で開口開閉移動を生じ得るように当該羽根を開口開放位置に静止させることができる。
【発明の効果】
【００１５】
本発明によれば、羽根に重りを設けずとも当該羽根に開口開放位置に向かって移動させることができ、羽根が開口開放位置又はその近傍に位置する場合に気流に基づく小さな力によって羽根に開口開閉移動させると共に、羽根が開口閉鎖位置の近傍にある場合には気流に基づく力によっては羽根に開口閉鎖移動を生じさせないようにすることができ、而して、開口開放位置又はその近傍にある羽根の気流に基づく開閉移動によって好適に換気することができ、しかも、装置自体のコンパクト化が図れる換気装置を提供し得る。
【発明を実施するための最良の形態】
【００１６】
次に、本発明の実施の形態の例を、図に示す例に基づいて更に詳細に説明する。尚、本発明は、これら例に何等限定されないのである。
【００１７】
図１から図６において、本例の換気装置１は、建物（図示せず）に装着される枠体２と、枠体２により画成された開口３に配されると共に開口３を開閉する羽根４と、気流に基づいて羽根４に開口３を開閉させる開閉手段５とを具備している。換気装置１は、建物外７側に向かう羽根４の開口開放移動により図１に示すように開口３を開き、建物内８側に向かう羽根４の開口閉鎖移動により図２に示すように開口３を閉じるようになっている。図１は羽根４が開口閉鎖位置にある状態を、図２は羽根４が開口閉鎖位置にある状態を夫々示している。
【００１８】
枠体２は、例えば図３に示すように、上枠１２、下枠１３並びに一対の縦枠１４及び１５を有している。上枠１２、下枠１３並びに縦枠１４及び１５が羽根４に当接する部位には、開口開放位置にある羽根４に当接するシール部材が装着されている。
【００１９】
矩形状の羽根４は、開口３を開閉自在となるように開閉手段５を介して枠体２に装着される。羽根４は、開口開放位置において静止した状態となり、気流に基づく開口閉鎖移動により開口３を狭めたり、気流に基づく開口開放移動により開口３を拡げたりするようになっている。
【００２０】
縦枠１４及び１５並びに鉛直方向Ｖに伸びた側縁２４及び２５は短尺であり、上枠１２及び下枠１３並びに上縁２２及び下縁２３は長尺である。枠体２及び羽根４は横長である。
【００２１】
開閉手段５は、羽根４の上縁２２側の一の部位３１を昇降自在に支持する支持機構３２と、部位３１に対して下方に位置する羽根４の他の部位３３を建物内外方向Ｘに移動自在に支持する支持機構３４と、羽根４による開口閉鎖状態を維持すべく、開口閉鎖位置にある羽根４を枠体２に係合させる係合手段（図示せず）とを具備している。支持機構３２及び３４は、部位３１及び３３を夫々横方向Ｙに伸びた水平軸の回りで回動自在に支持している。部位３１及び３３は側縁２４及び２５に夫々設けられている。横方向Ｙは鉛直方向Ｖ及び建物内外方向Ｘに対して直交している。建物内外方向Ｘは、水平方向に対して平行であって横方向Ｙに対して直交する方向である。
【００２２】
支持機構３２は、側縁２４及び２５の夫々の部位３１に装着されていると共に縦枠１４及び１５に対して昇降する軸体４１と、部位３１を昇降させる方向に伸びていると共に部位３１に接して当該部位３１を昇降自在に支持する支持面４２が形成された支持部材５３とを具備している。支持機構３２は、支持部材５３を支持機構３４と共有している。支持部材５３は、縦枠１４及び１５の夫々に装着されている。軸体４１には転動ローラが装着されていてもよい。軸体４１は、斯かる転動ローラの装着によって支持面４２に円滑に案内支持される。尚、支持機構３２は、羽根４の開口開放移動若しくは開口閉鎖移動を調整すべく、部位３１を枠体２に対して上方若しくは下方に向かって弾性的に付勢する付勢部材としてのばね（図示せず）を具備していてもよい。
【００２３】
支持部材５３には、部位３１を昇降させる方向に伸びた長孔又はスリット、本例では長孔４３が形成されており、支持面４２は、長孔４３を画成している面からなる。支持面４２は、鉛直方向Ｖに伸びた部位４４と、当該部位４４の上端に連接していると共に建物外７側から建物内８側に向かって上方に傾斜する方向に伸びた部位４５とを具備している。部位４４においては軸体４１を鉛直方向Ｖに案内支持し、部位４５においては軸体４１を前記傾斜する方向に案内支持する。尚、支持面４２は鉛直方向Ｖに伸びた部位４４のみから形成されていてもよい。
【００２４】
支持機構３４は、側縁２４及び２５の夫々の部位３３に装着されている軸体５１と、建物内外方向Xに伸びていると共に部位３３に接して当該部位３３を建物内外方向Xに移動自在に支持する支持面５２が形成された支持部材５３とを具備している。軸体５１には転動ローラが装着されていてもよい。軸体５１は、斯かる転動ローラの装着によって支持面５２に円滑に案内支持される。支持機構３２及び３４は、支持面４２及び５２が形成された一つの支持部材５３を共有している。
【００２５】
部位３３に装着された軸体５１は、羽根４が開口閉鎖位置にある場合に当該羽根４の重心Ｇに対して上方に且つ建物内８側及び建物外７側のうちの一方側、本例では建物外７側に位置するように配されている。軸体５１は、羽根４が開口開放位置にある場合に羽根４の重心Ｇと鉛直方向Ｖに伸びる同一直線上に夫々位置する。
【００２６】
支持面５２は、支持部材５３に建物内外方向Ｘに伸びて形成された長孔５７を画成する面からなる。羽根４が開口開放位置から開口閉鎖位置に配される場合に当該羽根４の部位３３に当接する支持面５２の部位５５は、建物内外方向Ｘに且つ水平方向に伸びており、軸体５１を建物内外方向Ｘに直動自在に支持するようになっている。羽根４が開口開放位置にある場合に当該羽根４に当接する支持面５２の部位Ｐ１に対して建物外７側に位置する当該支持面５２の部位５６は、水平線Ｈに対して建物外７側から建物内８側に向かって下方に傾斜している。部位５６における接線の水平線Ｈに対する傾斜角は、建物外７側から建物内８側に向かって漸減している。部位５６に当接する軸体５１は、建物内８側から建物外７側への移動により上方に変位する一方、建物外７側から建物内８側への移動により下方に変位する。部位Ｐ１における接線の水平線Ｈに対する傾斜角は０度である。
【００２７】
羽根４が開口開放位置にある場合には、羽根４の重心Ｇと部位３３とが鉛直方向Ｖに伸びる同一直線上に夫々位置するために、羽根４はその自重によりバランスを保って静止する。斯かる静止状態にある羽根４は、気流に基づく小さな力によって開口閉鎖移動が自在な状態にある。ここで、羽根４が気流に基づいて開口開放位置から開口閉鎖移動をすると、部位３３が重心Ｇに対して建物外７側に位置するために、羽根４には開口閉鎖移動力に抗する抗移動力としての開口開放移動力が与えられる。開口閉鎖移動力が抗移動力としての開口開放移動力よりも上回っている場合には、羽根４は開口閉鎖移動をし、また、開口閉鎖移動力が抗移動力としての開口開放移動力よりも下回っている場合には、羽根４は開口開放移動をして開口開放位置に復帰する。
【００２８】
羽根４が開口閉鎖位置にある場合には、部位３３と重心Ｇとを結ぶ線は、鉛直線（鉛直方向Ｖに伸びる線）に対して、建物外７側から建物内８側に向かって下方に傾斜しており、この傾斜角は、羽根４が開口開放移動によって開口開放位置に近づくに連れて漸減し、羽根４が開口開放位置に配された際に０度となる。部位３３と重心Ｇとを結ぶ線が鉛直線に対して建物外７側から建物内８側に向かって下方に傾斜している場合には、羽根４にはその自重に基づく開口開放移動力が付与され、部位３３と重心Ｇとを結ぶ線の鉛直線に対する傾斜角が０度となった場合には、部位３３の位置と重心Ｇの位置との関係における開口開放移動力は生じない。
【００２９】
係合手段は、下縁２３に回転自在に装着されたＬ字状のレバーを具備しており、斯かるレバーは、羽根４が開口閉鎖位置にある場合に回転操作されることによって下枠１３に係合するようになっている。係合手段は、レバーが下枠１３に係合されることにより羽根４を枠体２に解除自在に係合させるようになっている。
【００３０】
以上の換気装置１による開口開閉動作について以下説明する。まず、開口閉鎖位置にある羽根４の開口開放移動を、係合手段による羽根４と枠体２との係合を解除することにより許容する。係合手段による係合の解除によって羽根４の開口開放移動が許容されると、部位３３が建物内外方向Ｘにおいて重心Ｇに対して建物外７側に位置しているために、羽根４には開口開放位置に向かう回動モーメントが付与され、羽根４は開口開放移動を開始する。軸体４１は、部位３３の建物外７側に向かう移動に伴い、支持面４２に沿って下降する。羽根４に付与される開口開放位置に向かう回動モーメントは、羽根４が開口開放位置に近づくに連れて、部位３３と重心Ｇとを結ぶ線の鉛直線に対する傾斜角が漸減するために、次第に小さくなる。羽根４が開口開放移動により開口開放位置に到達すると、部位３３と重心Ｇとが鉛直方向Ｖに伸びる同一直線上に位置し、これにより羽根４の自重に基づく開口開放移動力が生じなくなり、而して、羽根４は開口開放位置で静止する。このように羽根４に付与される開口開放位置に向かう回動モーメントが次第に小さくなるために羽根４による急速な開口開放を防止することができ、また逆に、羽根４が開口開放位置から開口閉鎖位置に向かって開口閉鎖移動する場合には、羽根４に付与される開口開放位置に向かう回動モーメントは次第に大きくなるために、前記開口閉鎖移動に抗する抗移動力としての開口開放移動力が漸増する結果、急速な開口閉鎖を防止することができる。
【００３１】
羽根４が開口開放位置に配された場合に、気流により羽根４に対して建物外７側が正圧に且つ建物内８側が負圧になると、羽根４には気流に基づく開口閉鎖移動力が付与され、この気流に基づく開口閉鎖移動力によって羽根４が開口閉鎖移動すると、建物外７及び建物内８間を流れる気体流量は減少する。逆に、気流により羽根４に対して建物外７側が負圧に且つ建物内８側が正圧になると、羽根４には気流に基づく開口開放移動力が付与され、この気流に基づく開口開放移動力によって羽根４が開口開放移動すると、建物外７及び建物内８間を流れる気体流量は増大する。気流に基づく開口開放移動力及び開口閉鎖移動力が生じなくなると、羽根４は、上述のように開口開放位置に復帰し、静止する。
【００３２】
羽根４が気流に基づいて開口開放位置から建物外７側に向かって移動された場合には、部位５６が水平線Ｈに対して建物外７側から建物内８側に向かって下方に傾斜しているために、羽根４には、羽根４の建物外７側に向かう移動力に抗する開口開放位置に向かう抗移動力が与えられ、斯かる抗移動力が羽根４の建物外７側に向かう移動力を上回る場合には、羽根４は開口開放位置に向かって建物内８側に移動して、開口開放位置に復帰する。ここで、部位５６における接線の水平線Ｈに対する傾斜角は、建物外７側から建物内８側に向かって漸減しているために、羽根４が開口開放位置から建物外７側に向かって移動されるに連れて、羽根４の建物外７側に向かう移動力に抗する開口開放位置に向かう抗移動力は漸増する。
【００３３】
換気装置１では、羽根４に装着された係合手段のレバーを手動操作により建物内８側から引っ張って羽根４を開口閉鎖位置に配し、当該レバーを下枠１３に係合させることにより開口３を閉鎖した状態を維持する。
【００３４】
本例の換気装置１によれば、建物に装着される枠体２と、枠体２により画成された開口３に配されると共に開口３を開閉する羽根４と、気流に基づいて羽根４に開口３を開閉させる開閉手段５とを具備しており、開閉手段５は、羽根４の部位３１を昇降自在に支持する支持機構３２と、部位３１に対して下方に位置する部位３３を建物内外方向Ｘに移動自在に支持する支持機構３４とを具備しており、部位３３は、羽根４が開口閉鎖位置にある場合に当該羽根４の重心Ｇに対して上方に且つ建物内８側及び建物外７側のうちの一方側、本例では建物外７側に位置するように配されており、支持機構３２は、部位３１を昇降させる方向に伸びていると共に部位３１に接して当該部位３１を昇降自在に支持する支持面４２を具備しており、支持機構３４は、建物内外方向Ｘに伸びていると共に部位３３に接して当該部位３３を建物内外方向Ｘに移動自在に支持する支持面５２を具備しており、支持機構３２及び３４は、当該支持機構３２及び３４の夫々の支持面４２及び５２が形成された一つの支持部材５３を共有しているために、羽根４に重りを設けずとも当該羽根４に開口開放位置に向かって移動させることができ、羽根４が開口開放位置又はその近傍に位置する場合に気流に基づく小さな力によって羽根４に開口開閉移動させると共に、羽根４が開口閉鎖位置の近傍にある場合には気流に基づく力によっては羽根４に開口閉鎖移動を生じさせないようにすることができ、而して、開口開放位置又はその近傍にある羽根４の気流に基づく開閉移動によって好適に換気することができ、しかも、装置自体のコンパクト化が図れる。
【００３５】
換気装置１によれば、羽根４が開口開放位置にある場合に当該羽根４に当接する支持面５２の部位Ｐ１に対して建物外７側に位置する当該支持面５２の部位５６は、水平線Ｈに対して建物外７側から建物内８側に向かって下方に傾斜しているために、部位５６において、開口開放移動力に抗する抗移動力を羽根に与えることができ、而して、開口開放位置又はその近傍にある羽根４の急速な開口開放移動や羽根４の部位３３と支持部材５３との衝突を防止し得る。
【００３６】
換気装置１によれば、部位５６における接線の水平線Ｈに対する傾斜角は、建物外７側から建物内８側に向かって漸減しているために、部位５６において、羽根４が開口開放位置から建物外７側に向かって遠ざかるに連れて、開口開放移動力に抗する抗移動力を漸増させることができて、開口開放位置又はその近傍にある羽根４の急速な開口開放移動や羽根４の部位３３と支持部材５３との衝突をより好適に防止し得る。
【００３７】
換気装置１によれば、羽根４の部位３３及び羽根４の重心Ｇは、当該羽根４が開口開放位置にある場合に鉛直方向Ｖに伸びる同一直線上に夫々位置するために、羽根４に重錘等を装着することなく、開口開放位置において羽根４を釣り合わせることができて、ストッパ等を用いずとも羽根４の開口開放移動を停止させることができ、しかも、羽根４が気流に基づく小さな力で開口開閉移動を生じ得るように当該羽根４を開口開放位置に静止させることができる。
【００３８】
支持面５２は、本例では、部位５５において、建物内外方向Ｘに且つ水平方向に伸びており、軸体５１を建物内外方向Ｘに直動自在に支持するようになっているが、例えば図７に示すように、支持面５２の建物内８側の部位５８が水平線Ｈに対して建物外７側から建物内８側に向かって上方に傾斜していてもよく、斯かる場合には、部位５８における接線の水平線Ｈに対する傾斜角は、建物外７側から建物内８側に向かって漸増していてもよい。部位５８が上述のように傾斜している場合には、部位５８において、気流に基づく開口閉鎖移動力に抗する抗移動力を羽根に与えることができて、急速な開口閉鎖や羽根４の部位３３と支持部材５３との衝突を防止することができ、また、開口閉鎖位置にある羽根４を移動させて開口３を開放する際に、開口閉鎖位置にある羽根４の開口開放方向への移動を勢い付けることができる。また、部位５８における接線の水平線Ｈに対する傾斜角が建物外７側から建物内８側に向かって漸増している場合には、部位５８において、羽根４が建物外７側から開口閉鎖位置に向かって開口閉鎖移動するに連れて、開口閉鎖移動力に抗する抗移動力を漸増させることができて、急速な開口閉鎖や羽根４の部位３３と支持部材５３との衝突をより好適に防止することができ、また、開口閉鎖位置にある羽根４を移動させて開口３を開放する際に、部位５８における開口開放方向への移動の勢い付けを、初期には強く、後期には弱くすることができる。
【００３９】
支持面５２は、本例では、部位５５において、建物内外方向Ｘに且つ水平方向に伸びており、軸体５１を建物内外方向Ｘに直動自在に支持するようになっているが、例えば図８に示すように、部位Ｐ１から羽根４が開口閉鎖位置にある場合に当該羽根４に当接する支持面５２の部位Ｐ２までにおける面は、水平線Ｈに対して建物外７側から建物内８側に向かって上方に傾斜していてもよく、斯かる場合には、本発明の換気装置の好ましい例では、部位Ｐ１から部位Ｐ２までにおける接線の水平線Ｈに対する傾斜角は、建物外７側から建物内８側に向かって漸増していてもよい。部位Ｐ１から部位Ｐ２までにおける面が上述のように傾斜している場合には、開口閉鎖位置から開口開放位置に渡って気流に基づく開口閉鎖移動力に抗する抗移動力を羽根４に与えることができ、而して、開口開放位置又はその近傍にある羽根４の気流に基づく開閉移動を好適に行わせ得る。また、部位Ｐ１から部位Ｐ２までにおける接線の水平線Ｈに対する傾斜角が建物外７側から建物内８側に向かって漸増している場合には、羽根４が開口開放位置又はその近傍に位置する場合に気流に基づく小さな力によって羽根４に開口開閉移動させると共に、羽根４が開口閉鎖位置の近傍にある場合には気流に基づく力によっては羽根４に開口閉鎖移動を生じさせないようにすることができ、而して、開口開放位置又はその近傍にある羽根４の気流に基づく開閉移動によってより好適に換気することができる。
【００４０】
支持面５２の上記各部位における接線に対する水平線Ｈの傾斜に基づいて、部位３３が支持面５２に支持される羽根４に与えられる開口開放移動力をＦとし、羽根４の自重に基づいて生じる鉛直方向Ｖへの力をｍｇとすると、Ｆは以下の数式によって求められる。この数式を用いて、支持面５２の夫々の水平線Ｈに対する傾斜角はＦとの関係において好適に設定される。
【００４１】
【数１】
2008298327.tif 000003
【図面の簡単な説明】
【００４２】
【図１】本発明の実施の形態の例の羽根が開口開放位置にある場合における側面説明図である。
【図２】図１に示す例の羽根が開口閉鎖位置にある場合における側面説明図である。
【図３】図１に示す例の羽根が開口閉鎖位置にある場合における正面説明図である。
【図４】図１に示す例の羽根が開口閉鎖位置にある場合における平面説明図である。
【図５】図１に示す例の羽根が開口閉鎖位置にある場合における側面説明図である。
【図６】図１に示す例の羽根を省略した側面説明図である。
【図７】図１に示す例の主に支持部材の説明図である。
【図８】図１に示す例の主に支持部材の説明図である。
【符号の説明】
【００４３】
１  換気装置
２  枠体
３  開口
４  羽根
５  開閉手段
３２  支持機構
３４  支持機構
４２、５２  支持面
５３  支持部材
【図１】
2008298327.tif 000004
【図２】
2008298327.tif 000005
【図３】
2008298327.tif 000006
【図４】
2008298327.tif 000007
【図５】
2008298327.tif 000008
【図６】
2008298327.tif 000009
【図７】
2008298327.tif 000010
【図８】
2008298327.tif 000011